(57)【要約】【課題】プロペラを破損させることなく、設置場所までの運搬時の作業者の負担を低減すること。【解決手段】水流によってプロペラ（１２ａ、１３ａ）を回転させることで、プロペラの回転エネルギーを電力に変換する流水発電装置（１）を、プロペラの全てのブレード（３５、４５）の先端（３７、４７）が支持部（１１）の下端（２８）よりも上方に位置付けられた状態で運搬可能にして、プロペラの各ブレードの先端が床面（４８）に接しないようにしてプロペラの破損を防止した。【選択図】図３
2015151915.tif 000002
【特許請求の範囲】
【請求項１】
水流によってプロペラを回転させることで、前記プロペラの回転エネルギーを電力に変換する流水発電装置であって、
前記プロペラを支持する支持部を備え、
前記支持部の下端よりも前記プロペラの全てのブレードの先端が上方に位置付けられた状態で運搬可能なことを特徴とする流水発電装置。
【請求項２】
前記支持部は、前記プロペラを挟んで対向する一対のフロート板を有し、当該一対のフロート板の下端よりも前記プロペラの全てのブレードの先端が上方に位置付けられることを特徴とする請求項１に記載の流水発電装置。
【請求項３】
前記一対のフロート板の浮力により、前記プロペラの少なくとも一部分を水面上に露出させ、前記プロペラの残りの部分を水面下に水没させることを特徴とする請求項２に記載の流水発電装置。
【請求項４】
前記一対のフロート板の対向面の間隔が、前記一対のフロート板の先端から後端に向かって狭くなるように形成されていることを特徴とする請求項２又は請求項３に記載の流水発電装置。
【発明の詳細な説明】
【技術分野】
【０００１】
本発明は、河川や用水路等の比較的低速な水流からエネルギーを取り出す流水発電装置に関する。
【背景技術】
【０００２】
従来、この種の流水発電装置として、河川の水流によってプロペラを回転させることで、水流からエネルギーを取り出す流水発電装置が知られている（例えば、特許文献１参照）。特許文献１に記載の流水発電装置はワイヤー等で川底に係留されており、装置全体が浮遊状態で常時水面下に位置付けられている。流水発電装置のバルブ状のケースにはプロペラが取り付けられており、プロペラの回転がケース内の発電機まで伝達されて電気的エネルギーが取り出される。また、流水発電装置を河川に設置する際に大掛かりな部材が不要であるため、設置場所までの運搬が容易となっている。
【先行技術文献】
【特許文献】
【０００３】
【特許文献１】特開２０１３−２０４５１９号公報
【発明の概要】
【発明が解決しようとする課題】
【０００４】
しかしながら、特許文献１に記載の流水発電装置は、プロペラが外部にむき出しになっているため、設置場所までの運搬時にプロペラが破損しないように梱包作業を行う必要がある。このため、流水発電装置の出荷時や設置時に作業者の負担となっていた。特に、流水発電装置の設置後に設置場所が変更される場合には、梱包作業をやり直さなければならないという不具合があった。
【０００５】
本発明はかかる点に鑑みてなされたものであり、プロペラを破損させることなく、設置場所までの運搬時の作業者の負担を低減することができる流水発電装置を提供することを目的とする。
【課題を解決するための手段】
【０００６】
本発明の流水発電装置は、水流によってプロペラを回転させることで、前記プロペラの回転エネルギーを電力に変換する流水発電装置であって、前記プロペラを支持する支持部を備え、前記支持部の下端よりも前記プロペラの全てのブレードの先端が上方に位置付けられた状態で運搬可能なことを特徴とする。
【０００７】
この構成によれば、流水発電装置の運搬時に支持部の下端が床面（地面）に置かれても、プロペラの各ブレードの先端が床面に接することがなく、プロペラの破損が防止される。このため、流水発電装置の設置場所までの運搬時に梱包作業が不要となり、流水発電装置の出荷時や設置時に作業者の負担になることがない。また、流水発電装置の設置後に設置場所が変更される場合であっても、梱包作業が不要であるため、設置場所を容易に変更することができる。
【０００８】
また本発明の上記流水発電装置において、前記支持部は、前記プロペラを挟んで対向する一対のフロート板を有し、当該一対のフロート板の下端よりも前記プロペラの全てのブレードの先端が上方に位置付けられる。この構成によれば、一対のフロート板の下端が床面に置かれることで、流水発電装置の運搬時のプロペラの破損が防止される。このように、流水発電装置を水面に浮かせるための一対のフロート板を用いて、搬送時のプロペラの破損を防止できる。また、一対のフロート板によってプロペラを挟んだ両側で支持されるため、流水発電装置の運搬時の姿勢を安定させることができる。
【０００９】
また本発明の上記流水発電装置において、前記一対のフロート板の浮力により、前記プロペラの少なくとも一部分を水面上に露出させ、前記プロペラの残りの部分を水面下に水没させる。この構成によれば、プロペラが回転することによって、空中から水中へのブレードの突入と水中から空中へのブレードの脱出が交互に繰り返される。これにより、プロペラから異物が離れ易くなり、異物の付着に起因した発電能力の低下、作動不良、損傷等の不具合が防止される。また、水面から底までの深さに関わらず、簡易な構成でプロペラの少なくとも一部分を水面上に露出させることができる。
【００１０】
また本発明の上記流水発電装置において、前記一対のフロート板の対向面の間隔が、前記一対のフロート板の先端から後端に向かって狭くなるように形成されている。この構成によれば、一対のフロート板の対向面でプロペラに向かう水流を速めて、流水発電装置の発電能力を向上させることができる。
【発明の効果】
【００１１】
本発明によれば、前記支持部の下端よりも前記プロペラの全てのブレードの先端が上方に位置付けられた状態で運搬可能な構成にしたことで、梱包作業をすることなく運搬時のプロペラの破損が防止され、さらに流水発電機の設置場所までの運搬時の負担を低減できる。
【図面の簡単な説明】
【００１２】
【図１】本実施の形態に係る流水発電装置の斜視図である。
【図２】本実施の形態に係る流水発電装置の正面図及び側面図である。
【図３】本実施の形態に係るプロペラと一対のフロート板との関係を示す図である。
【図４】本実施の形態に係るプロペラの動作遷移図である。
【図５】本実施の形態に係るプロペラに接触した異物の動きを示す図である。
【図６】本実施の形態の他の一例に係るプロペラに接触した異物の動きを示す図である。
【図７】本実施の形態に係る流水発電装置の動作説明図である。
【発明を実施するための形態】
【００１３】
以下、添付図面を参照して本実施の形態に係る流水発電装置について説明する。図１は、本実施の形態に係る流水発電装置の斜視図である。図２は、本実施の形態に係る流水発電装置の正面図及び側面図である。なお、以下の説明では、前後一対のプロペラ式発電ユニットを備えた流水発電装置について説明するが、単一のプロペラ式発電ユニットを備えた流水発電装置でもよい。
【００１４】
図１及び図２に示す流水発電装置１は、河川の水流を利用した小水力発電装置であり、前後一対のプロペラ式発電ユニット１２、１３によって水流からエネルギーを取り出すように構成されている。流水発電装置１は、プロペラ式発電ユニット１２、１３を左右一対のフロート板２１付きの支持部１１に支持させて、一対のフロート板２１の浮力によってプロペラ１２ａ、１３ａの上半部を水面４９上に露出させている。一対のフロート板２１は、樹脂性の中空フロートであり、プロペラ１２ａ、１３ａの左右両側方、すなわちプロペラ１２ａ、１３ａの回転軸方向に沿って、直立姿勢で平行に配置されている。一対のフロート板２１は、左右対称に形成されており、流水発電装置１に対して左右均等に浮力を生じさせている。
【００１５】
また、一対のフロート板２１は、前後方向に長く形成されており、下半部を水没させた状態で水面４９に浮いている。この一対のフロート板２１の水没した下半部によって、プロペラ１２ａ、１３ａに水流を導く水路が形成される。一対のフロート板２１の先端部にはアンカー２２が設けられ、アンカー２２にロープ２３を繋ぐことで流水発電装置１が川岸等に係留されている。一対のフロート板２１の上部は連結板２４で連結されており、連結板２４の下面には前後一対のプロペラ式発電ユニット１２、１３が固定されている。また、一対のフロート板２１の上部には、連結板２４の上方を覆うようにアーチ状の屋根２５が取り付けられている。
【００１６】
プロペラ式発電ユニット１２、１３の円筒状のケース１２ｄ、１３ｄは前後方向に延在しており、ユニット個別の吊り下げステー１２ｅ、１３ｅを介して連結板２４の下面に連結されている。ケース１２ｄの前端には、上流側で水流を受けるプロペラ１２ａが回転可能に支持されており、ケース１３ｄの後端には、下流側で水流を受けるプロペラ１３ａが回転可能に支持されている。ケース１２ｄ、１３ｄ内には、回転軸方向に延在するシャフト１２ｂ、１３ｂが収容されている。プロペラ１２ａ、１３ａは、このシャフト１２ｂ、１３ｂを通じて、ケース１２ｄ、１３ｄ内に収容された発電機１２ｃ、１３ｃに連結されている。
【００１７】
プロペラ１２ａ、１３ａは、シャフト１２ｂ、１３ｂに固定されたプロペラボス３４、４４の外周面に複数枚のブレード３５、４５を設けて構成される。また、プロペラ１２ａ、１３ａのプロペラボス３４、４４からはシャフト１２ｂ、１３ｂの先端部分が突出しており、この先端部分にはプロペラキャップ１２ｆ、１３ｆが取り付けられている。また、前側のプロペラ１２ａと後側のプロペラ１３ｂは、互いに表裏反転した状態でシャフト１２ｂ、１３ｂに取り付けられている。
【００１８】
また、詳細は後述するが、流水発電装置１では、一対のフロート板２１の浮力によって、プロペラ１２ａ、１３ａの上半部を水面４９上に露出させ、プロペラ１２ａ、１３ａの下半部を水面４９下に水没させている。これにより、水流によって運ばれるゴミや浮遊物等の異物がプロペラ１２ａ、１３ａに付着しても、プロペラ１２ａ、１３ａから異物を自動的に離脱させるようにしている。さらに、プロペラ１２ａ、１３ａのブレード３５、４５として、スキュー付きのブレードが用いられ、プロペラ１２ａ、１３ａに異物が引っかかり難くなっている。
【００１９】
このように構成された流水発電装置１が河川に浮かべられると、水流によって前後一対のプロペラ１２ａ、１３ａが回転して、プロペラ式発電ユニット１２、１３のシャフト１２ｂ、１３ｂを介して発電機１２ｃ、１３ｃに回転エネルギーが伝達される。発電機１２ｃ、１３ｃでは、プロペラ１２ａ、１３ａの回転エネルギーが電力に変換されて不図示の二次電池に充電される。これにより、流水発電装置１は、比較的流れの緩やかな河川の水流からエネルギーを取り出すことを可能にしている。ところで、流水発電装置１を設置場所まで運搬する際に、ブレード３５、４５の先端が床面等に接すると、プロペラ１２ａ、１３ａが破損する可能性がある。
【００２０】
このため、本実施の形態の流水発電装置１では、一対のフロート板２１の下端よりもプロペラ１２ａ、１３ａの全てのブレード３５、４５の先端が上方に位置付けられた状態で運搬可能に構成されている。すなわち、一対のフロート板２１を運搬時の梱包ケースとして利用することで、梱包作業を不要にして作業者の負担を低減している。
【００２１】
以下、図３を参照して、流水発電装置のプロペラと一対のフロート板との関係について説明する。図３は、プロペラと一対のフロート板との関係を示す図である。
【００２２】
図３に示すように、流水発電装置１が荷台等に載せられて運搬される際には、一対のフロート板２１が床面４８に直立した状態で運搬される。一対のフロート板２１の下端２８はプロペラ１２ａ、１３ａよりも下方に位置しており、各フロート板２１の下端２８が床面４８に載せられることでプロペラ１２ａ、１３ａが床面４８から離間される。一対のフロート板２１の下端２８よりもプロペラ１２ａ、１３ａの全てのブレード３５、４５の先端３７、４７が上方に位置付けられるため、ブレード３５、４５の先端３７、４７が床面４８に接することがなくプロペラ１２ａ、１３ａの破損が防止される。このように、プロペラ１２ａ、１３ａは床面４８から浮いた状態で運搬される。
【００２３】
また、一対のフロート板２１は、プロペラ１２ａ、１３ａを挟んで左右両側に設けられており、流水発電装置１の運搬時の姿勢が安定される。よって、流水発電装置１が載せられた荷台の揺れる場合でも、流水発電装置１の転倒が抑えられる。さらに、一対のフロート板２１は、プロペラ１２ａ、１３ａの左右側方を覆う側壁としても機能しており、プロペラ１２ａ、１３ａに対する側方からの衝突を保護している。これにより、流水発電装置１の左右両隣に載せられた他の荷物がプロペラ１２ａ、１３ａに直に衝突することが防止される。また、プロペラ１２ａ、１３ａの上方はアーチ状の屋根２５に覆われており、上方からの落下物がプロペラ１２ａ、１３ａに直に衝突することがない。
【００２４】
このように、プロペラ１２ａ、１３ａの各ブレード３５、４５の先端３７、４７が床面４８に接することがなく、一対のフロート板２１及び屋根２５によってプロペラ１２ａ、１３ａに対する側方及び上方からの衝突から保護されている。このため、流水発電装置１を組み立てた状態で運搬することができ、運搬時や設置時の作業者の負担が大幅に軽減される。より具体的には、通常は破損防止のためにプロペラ１２ａ、１３ａ等を装置から取り外して運搬されるため、プロペラ１２ａ、１３ａの梱包や運搬後の組み立て作業等が必要になるが、本実施の形態に係る流水発電装置１ではこれらの作業が不要になる。また、流水発電装置１を所定の設置場所に設置した後に、設置場所が変更される場合であっても、梱包作業等が不要になるため設置場所を容易に変更することができる。
【００２５】
続いて、図４から図６を参照して、プロペラから異物を離脱させる構造について詳細に説明する。図４は、本実施の形態に係るプロペラの動作遷移図である。図５は、本実施の形態に係るプロペラに接触した異物の動きを示す図である。図６は、本実施の形態の他の一例に係るプロペラに接触した異物の動きを示す図である。なお、図４から図６においては、前側のプロペラを例示して説明するが、後側のプロペラも同様の構成である。
【００２６】
図４Ａに示すように、プロペラ１２ａのブレード３５が水中にあるときには、木の枝等の比較的重い異物５４がブレード３５に付着し難くなっている。すなわち、異物５４には下向きに重力が作用するため、異物５４がブレード３５のエッジ３６に接しても、異物５４がブレード３５のエッジ３６を滑ってプロペラ１２ａの中心から離れる方向に移動する。このように、比較的重い異物５４がブレード３５に接しても、水中でブレード３５から異物５４が離れやすくなっている。一方で、比較的軽い異物５４がブレード３５に接した場合には、ブレード３５から異物５４が離れ難く、異物５４を付着させたままブレード３５が移動する。
【００２７】
図４Ｂに示すように、プロペラ１２ａのブレード３５が水中から空中に脱出するときには、異物５４に水がまとわり付くことで、異物５４が水面４９から出ることが阻害される。すなわち、異物５４に付着した水によって質量が増加し、水面４９付近で異物５４を水中に引き止める力が大きくなる。異物５４だけが水面４９付近で引き止められることで、ブレード３５から異物５４が引き離される。このように、水中でブレード３５に異物５４が付着していても、水面４９から異物５４が出る瞬間にブレード３５から異物５４が離れ易くなっている。特に、プロペラ１２ａが高速で回転している場合に異物５４が離れ易い。
【００２８】
図４Ｃに示すように、プロペラ１２ａのブレード３５が空中にあるときには、異物５４に作用する重力によって、異物５４が水面４９に落下し易くなっている。また、ブレード３５が水中を移動する場合と異なり、ブレード３５が空中を移動する場合にはブレード３５に新たな異物５４が付着することがない。異物５４が一定の割合で水中を流れるとした場合には、空中では異物５４に遭遇しないため、プロペラ１２ａが完全に水没している場合と比較して異物５４との遭遇率が半分になる。このように、ブレード３５が空中を移動することで、ブレード３５から異物５４が離れ易く、さらにブレード３５に対する新たな異物５４の付着が防止される。
【００２９】
図４Ｄに示すように、プロペラ１２ａのブレード３５が空中から水中に突入するときには、水面４９の抵抗を異物５４が受けることで、水中に異物５４が入ることが阻害される。すなわち、異物５４が水面４９に衝突することによって、異物５４に加わる衝撃によってブレード３５から異物５４が引き離される。このように、空中でブレード３５に異物５４が付着していても、水面４９に異物５４が衝突する瞬間にブレード３５から異物５４が離れ易くなっている。さらに、プロペラ１２ａが回転している間に、図４Ａから図４Ｄの動作が繰り返し実施されることで、異物５４に振動が加わってブレード３５から異物５４が離れ易くなっている。
【００３０】
さらに、図５Ａに示す本実施の形態に係るプロペラ１２ａのブレード３５では、回転方向の前側のエッジ３６に設けられたスキューにより、水中でも異物５４が付着し難くなっている。スキューは、前側のエッジ３６に接触した異物５４を、プロペラ１２ａの中心から離れる方向に移動させるように形成されている。例えば、図５Ｂに示すエッジ３６の位置ＰＡでは、エッジ３６の移動によって形成された水の流れにより、異物５４がベクトルＶＡの力を受ける。ベクトルＶＡのエッジ３６の接線方向の分力ＦＡがプロペラ１２ａの外側を向くため、異物５４はエッジ３６に沿ってプロペラ１２ａから離れる方向に移動する。
【００３１】
図５Ｃに示すエッジ３６の位置ＰＢでは、エッジ３６の移動によって形成された水の流れにより、異物５４がベクトルＶＢの力を受ける。ベクトルＶＢのエッジ３６の接線方向の分力ＦＢがプロペラ１２ａの外側を向くため、異物５４はエッジ３６に沿ってプロペラ１２ａから離れる方向に移動する。同様に、図５Ｄに示すエッジ３６の位置ＰＣでは、エッジ３６の移動によって形成された水の流れにより、異物５４がベクトルＶＣの力を受ける。ベクトルＶＣのエッジ３６の接線方向の分力ＦＣがプロペラ１２ａの外側を向くため、異物５４はエッジ３６に沿ってプロペラ１２ａから離れる方向に移動する。
【００３２】
このように、本実施の形態に係るスキュー付きのブレード３５では、エッジ３６のどの位置に異物５４が接触しても、プロペラ１２ａから逃げる方向に異物５４が動き易くなっている。特に、重力が小さな水中を浮遊している異物５４でも、ブレード３５のエッジ３６に接触した異物５４が、プロペラ１２ａの回転による流れを受けてエッジ３６の傾きに沿ってプロペラ１２ａの外側に向けて導かれる。よって、水中であっても、ブレード３５から異物５４が離れ易くなっている。
【００３３】
これに対して、図６Ａに示す本実施の形態の他の一例に係るプロペラ５１のブレード５２では、回転方向の前側のエッジ５３が凸状に形成されている。本実施の形態の他の一例に係るブレード５２では、エッジ５３に形成された凸形状によって、異物５４が接触するエッジ５３の位置によっては異物５４がブレード５２から離れ難くなっている。例えば、図６Ｂに示すエッジ５３の位置ＰＡでは、エッジ５３の移動によって形成された水の流れにより、異物５４がベクトルＶＡの力を受ける。ベクトルＶＡのエッジ５３の接線方向の分力ＦＡがプロペラ５１の外側を向くため、異物５４はエッジ５３に沿ってプロペラ５１から離れる方向に移動する。
【００３４】
しかしながら、図６Ｃに示すエッジ５３の位置ＰＢでは、エッジ５３の移動によって形成された水の流れにより、異物５４がベクトルＶＢの力を受ける。ベクトルＶＢは、エッジ５３の接線方向の分力を有さないため、異物５４はエッジ５３の位置ＰＢから移動することがない。また、図６Ｄに示すエッジ５３の位置ＰＣでは、エッジ５３の移動によって形成された水の流れにより、異物５４がベクトルＶＣの力を受ける。ベクトルＶＣのエッジ５３の接線方向の分力ＦＣがプロペラ５１の内側を向くため、異物５４はエッジ５３に沿ってプロペラ５１の中心に向かって移動する。
【００３５】
このように、本実施の形態の他の一例に係るブレード５２では、エッジ５３の位置ＰＢを境に異物５４の移動する方向が変化する。すなわち、位置ＰＢよりもプロペラ５１の外側では、ブレード５２のエッジ５３に接触した異物５４がプロペラ５１から逃げる方向に動き易くなっている。位置ＰＢよりもプロペラ５１の内側では、ブレード５２のエッジ５３に接触した異物５４がプロペラ５１に向かう方向に動き易くなり、ブレード５２に異物５４が付着し易くなっている。よって、ブレード５２に付着した異物５４が流水発電装置の発電能力の低下や作動不良等の原因になる。
【００３６】
なお、本実施の形態の他の一例に係るプロペラ５１では、スキューを設けていない分だけ本実施の形態に係るプロペラ１２ａよりも異物５４の付着防止効果が劣るが、プロペラが完全に水面４９下に位置付けられる構成と比較して異物５４の付着効果を得ることは可能である。
【００３７】
ここで、図７を参照して、本実施の形態に係る流水発電装置の動作について簡単に説明する。図７は、本実施の形態に係る流水発電装置の動作説明図である。なお、図７は、一対のフロート板からアーチ状の屋根を取り外した状態を示している。
【００３８】
図７に示すように、流水発電装置１は、プロペラ１２ａ、１３ａを半没水にしたため、各プロペラ１２ａ、１３ａが水流から得られる回転エネルギーが、プロペラ１２ａ、１３ａを完没水にした構成よりも少ない。このため、本実施の形態に係る流水発電装置１では、一対のプロペラ１２ａ、１３ａを前後方向に対向させて配置し、前側のプロペラ１２ａで生じる発電能力の低下分を後側のプロペラ１３ａで回収するようにしている。前側のプロペラ１２ａ及び後側のプロペラ１３ａは水流を受けることで互いに逆向きに回転するように、表裏反転した状態でシャフト１２ｂ、１３ｂ（図２参照）に対して取り付けられている。
【００３９】
また、一対のフロート板２１は、水流をプロペラ１２ａ、１３ａに導くようにプロペラ１２ａ、１３ａを挟んで対向している。一対のフロート板２１の対向面２９の間隔は、フロート板２１の先端から後端に向かって狭くなるように形成されている。これにより、一対のフロート板２１の対向面２９を狭めることでプロペラ１２ａ、１３ａに向かう水流を速めて、流水発電装置１の発電能力を向上させている。一対のフロート板２１の先端側から入った水流は、一対のフロート板２１によって加速されて前側のプロペラ１２ａを回転させる。前側のプロペラ１２ａの回転エネルギーは発電機１２ｃ（図２参照）に伝達され、発電機１２ｃにおいて電気的エネルギーに変換される。
【００４０】
前側のプロペラ１２ａの後方には、前側のプロペラ１２ａの回転によって回転流が形成され、回転流によって後側のプロペラ１３ａが逆向きに回転される。後側のプロペラ１３ａの回転エネルギーは発電機１３ｃに伝達され、発電機１３ｃにおいて電気的エネルギーに変換される。後側のプロペラ１３ａでは、前側のプロペラ１２ａで形成される回転流中のエネルギーを回収して、流水発電装置１の発電効率を向上させている。
【００４１】
以上のように、本実施の形態に係る流水発電装置１は、運搬時に支持部１１の下端が床面４８（地面）に置かれても、プロペラ１２ａ、１３ａの各ブレード３５、４５の先端３７、４７が床面４８に接することがなく、プロペラ１２ａ、１３ａの破損が防止される。このため、流水発電装置１の設置場所までの運搬時に梱包作業が不要となり、流水発電装置１の出荷時や設置時に作業者の負担になることがない。また、流水発電装置１の設置後に設置場所が変更される場合であっても、梱包作業が不要であるため、設置場所を容易に変更することができる。
【００４２】
なお、本発明は上記各実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４３】
例えば、本実施の形態では、前後一対のプロペラを有する流水発電装置を例示したが、この構成に限定されない。流水発電装置は、単一のプロペラを有していてもよいし、さらに３つ以上のプロペラを有する構成でもよい。
【００４４】
また、本実施の形態では、プロペラの上半部を水面上に露出させ、プロペラの下半部を水面下に水没させる構成としたが、この構成に限定されない。プロペラの少なくとも一部分を水面上に露出させ、プロペラの残りの部分を水面下に水没させる構成であればよい。この構成であっても、プロペラの水面上に露出した一部分において、空中と水中を交互に移動してプロペラから異物が離れ易くなる。
【００４５】
また、本実施の形態では、一対のフロート板を荷台等の床面に載せることで、プロペラが床面等に接しない状態で運搬される構成としたが、この構成に限定されない。プロペラを支持する支持部の下端よりもプロペラの全てのブレードの先端が上方に位置付けられた状態で運搬される構成であれば、どのような構成でもよい。
【００４６】
また、本実施の形態では、フロートとして一対のフロート板を例示したが、この構成に限定されない。フロートは、水面に浮遊可能な構成であればよく、例えば、プロペラの回転軸回りの周壁を有する筒状に形成されてもよい。この場合、筒状のフロートの内径を小さくすることで流速を速めることができる。
【００４７】
また、本実施の形態では、プロペラのブレードにスキューが設けられる構成について説明したが、この構成に限定されない。スキューが設けられていないブレードであっても、例えば、図６に示すようにプロペラの上半部を水面上に露出させることで、プロペラに対する異物の付着を防止できる。
【００４８】
また、本実施の形態では、流水発電装置が河川や用水路等に設置される構成としたが、この構成に限定されない。流水発電装置は、水の流れが生じる場所に設置されればよく、海、下水、工場の排水路等に設置されてもよい。
【産業上の利用可能性】
【００４９】
以上説明したように、本発明は、プロペラを破損させることなく、設置場所までの運搬時の負担を低減できるという効果を有し、特に、河川や用水路等に設置される流水発電装置に有用である。
【符号の説明】
【００５０】
１  流水発電装置
１１  支持部
１２ａ、１３ａ  プロペラ
２１  フロート板
２８  支持部の下端
３５、４５  ブレード
３７、４７  ブレードの先端
【図１】
2015151915.tif 000003
【図２】
2015151915.tif 000004
【図３】
2015151915.tif 000005
【図４】
2015151915.tif 000006
【図５】
2015151915.tif 000007
【図６】
2015151915.tif 000008
【図７】
2015151915.tif 000009